(57)【要約】【課題】  地球的な温暖化現象は悪化の一途にあり、一刻の猶予も許されない現状にあっては世界中の全ての人が小さな事柄でも自然環境に貢献できると思われることは生物社会の生存者として全力をあげて努力することが肝要である。【解決手段】  植物が持つ潜在能力は莫大であるから偉大な能力を持ち余している。現下の地球的温暖化を救うのは植物である。従って、世界の学識ある学者は国家を越えて地球的な感覚から地球的な温暖化の改善チームを立ち上げて本腰を入れて温暖化の改善に努める時であることを提案するものである。【選択図】  図１
2005328811.tif 000002
【特許請求の範囲】
【請求項１】
植物体の根際部又は幹部を水蒸気不透過性又は水分保留性の箔状物にて非一体的に被覆し、外側より該箔状物を植物体にステップル、釘、ホッチキス等で単独又は複数箇所を止めて、植物体が陰電荷に転換または生体バランスの改善を図ることを特徴とした植物体の陰電荷による酸化還元農法。
【請求項２】
通電可能な金属又は炭素繊維などで根際部を一体的に巻き、外側よりステップル等で止め、外側より被覆する請求項１の植物体の陰電荷による酸化還元農法。
【請求項３】
根際部又は幹部に巻き付けたベルト状、バンド状の通電体にステップル等の止め具に直流電気を印加（通電）して、陰電荷を促進する請求項１、２の植物体の陰電荷による酸化還元農法。
【請求項４】
培地から培地に配電印加して、植物体の陰電荷の転換を図る請求項３の植物体の陰電荷による酸化還元農法。
【発明の詳細な説明】
【技術分野】
【０００１】  自然環境及び生活環境に伴う食物の改善による農法で健康な長寿社会の促進に関する。
【背景技術】
【０００２】  植物は、酸素の供給者として酸素の消費者である動物の生存と不可分の関係にある。特に近年では、炭酸ガス濃度の増加による地球温暖化防止の見地から、森林保護の必要性がクローズアップされている中で国際的にも植物の病理学があっても、治療学のないのが現状である。
【発明の開示】
【発明が解決しようとする課題】
【０００３】  植物の生理機構については未だ不明な点が多く、例えば、衰弱した老木や古木の若返りには根元に孔を穿って根部への通気性を良くしたり、殺虫剤による害虫を駆除したり、幹に孔を明けて植物ホルモンを注入したり、漢方薬を樹体に注射するような対症療法が行われているだけである。然かも、これらの処置を施すのは労力や費用の面でも非常に困難である。
特に農薬には、特異性が乏しいから有用な害虫以外の益虫や天敵まで殺してしまうことになるのみでなく、昆虫の主たる補食者である鳥類にまで害を及ぼす結果、生態系が破壊される一因となっている。
【課題を解決するための手段】
【０００４】概念
本発明は、長年に亙る研究の結果から、植物の偉大さと、潜在能力の大きさから本発明に至ったのである。
植物は未分化成物の象徴的な成物である。即ち、植物生体のどの部分を切断しても発根する能力がある。又植物生体は、地下部と地上部の環境を持ち生涯を一定地で生きる生物である。この象徴的な植物の肝腎要めの研究結果は根際部であることが判った。本来的に植物は電気的には培地を「陰電荷」とし、生体を「陽電荷」としているが、植物の発生時には、全く逆の電荷ではなかったと思われる不思議さがある。
従って、本発明は、根際部又は幹部を人為的に創作して、植物体を陰電荷にして、従来生体を１８０度転換して、酸化還元作用の植物体を目的としたものである。【０００５】概要
以上の知見に基づき、本発明は植物体の肝腎要めである根際部又は幹部を「保温、保湿、結束」に加えて電気刺激で植物体を陰電荷に転換して、細根部の活性化による吸水作用が活発となり根圧がアップする。
従って、根部と稍頂部との水ポテンシャルが改善されるから、植物体の生長が促進されて光合成による二酸化炭素の保有や固定に伴う地球温暖化の削減に貢献する生体が生まれる。又、果実は腐りにくい栄養のある果実に改善されるから人は健康で長寿社会がより促進する。【０００６】適用電源
乾電池、蓄電池、太陽電気、風力電気、パルス電気、アダプター電気、ＬＥＤ電気、ＡＣ，ＤＣ、低電圧電気などの電源。【０００７】用途
野菜、果菜、花木、根菜、果樹、自然木、人工林、森林、林野、公園、神社、仏閣、学校、街路樹など植物全般。【０００８】適用形態
植物が有する電気的エネルギーは、培地と植物体との関連に起因していると思われる。即ち、そのエネルギーにより培地内から細根部を介して茎、葉、稍頂に向って養水分が吸水され、その反対に稍頂より生産エネルギーが根部に蓄積される仕組みになっている。
植物体は大地に直立不動のまま生きる孤独で偉大な生物であるが、生体の水分バランス即ち、水の配分が最大の難点であり、これが最大の水ストレスを生む原因である。
従って、個々の植物の生命力に極端な大差があるのである。その原因を探求して見ると最大の原因は吸水である。即ち、根部の細根組織である。植物体の健康木は「水分バランス」が良く培地と生体との電位差が大であるのが特長的である。
従って、その電位差を大きくするための研究を続けた結果が根際部又は幹部を人為的に加工する技術である。即ち、根際部又は幹部の「保温、保湿、結束」が表皮の細根部組織の分裂を促進して吸水作用を改善することが判ったのである。
即ち、生体のストレスが改善されて、賦活力や生長力が生まれて、生体の「動的平衡」が恒常化し、生体の現役活動（二酸化炭素の固定年月）が従来を大幅に倍加する潜在能力が生まれるのである。
【発明の効果】
【０００９】  地球温暖化の問題は全く人事ではない状況である。１９１２年迄に森林を中心とした二酸化炭素の削減３，９％を国際的に約束しているが、現下の興廃した森林では全く不可能である。例えば、杉や桧の二酸化炭素の固定は約２０〜３０年と言われているが、植物の潜在能力は計り知れない能力があるにも拘わらず誰も今日までその潜在力を引き出す努力をしなかった学識者の怠慢である。
本発明技術を用いることで、炭素ガスの固定化が倍加する程の画期的な本発明である。よりよい長寿社会は食生活の改善である。即ち、日々食する食物の良否は腐食しにくい食品である。いわゆる酸化を還元する食品である。本発明は、より長寿社会を目指して創作した新しい農法である。
【発明を実施するための最良の形態】
【００１０】（１）  本発明により植物が持つ潜在力を引き出して賦活や生長力が生まれる理由は、一      応次のように仮定される。【００１１】（２）  根際部又は幹部を水蒸気不透過性又は水分保留性の箔状物（シート状）で被覆す      ると、該箔状物の内面と幹部外周との間の隙間部分に雨水や灌水露などにより湿潤      する（図１）この水分は樹皮等のクチクラ層や形成層を経て維管束系に浸透し、該      部道管の水ポテンシャルを高める。又根際部又は幹部にセットした「バンドやベル      ト」による機能の結束力（機能の総合力）による。総合的なエネルギーで生体の潜      在力が生まれてくる。（図３）
即ち、根部の賦活により細根部が分裂増加して、表面積が極度に増加して生体が      陰電荷するから吸水作用が容易化すると共に根圧がアップする。従って、地上部の      光合成や同化作用が促進されてオーキシンやサイトカイニン等の流れが活発になり      生体バランスが整うから生長も促進される。【００１２】（３）  植物体はさまざまである。従って、対象生体により半強制的に根際部又は幹部の      バンドやベルトに電気を印加（約３ボルト〜１２ボルト）して植物体を陰電荷に転      換し、培地を陽電荷する（従来の１８０度転換）。通常の場合は、前記バンドやベ      ルトを根際部にセットするのみで数時間〜数日間で生体サイドが、陰電荷に変化し      培地が陽電荷に変わると同時に電位差がアップするから印加の必要はないが、特殊      な生体により印加の必要性から記述する。【００１３】（４）  根際部又は幹部の印加に加えて老衰木や病疾木にあっては、電極にダイオード（      ＬＥＤ）の点滅式をセットしてパルス状のリズムある電気刺激を与えて回復を図る      方法も一ツの技術である。（図４）【００１４】（５）  以上１，２，３，４，の相乗的な作用効果により、植物体の賦活や生長力の結果        衰弱、老衰樹木の賦活や若返りが顕著となり、病疾樹木の治療効果も生じている      と推定される。
因に本発明の予備的な知見では、本発明の実施により菌根の発生が促進されてい      る。即ち、「マッタケ」の発生である。これが如何なる理由に因るものであるか、      説明は一層困難であるが、植物の増勢により根端部からオーキシン類似物やサイト      カイニン類の分泌が活発となり同時に根から産生される有機酸化物等が菌根形成菌      の分裂や発芽を促進すると仮定することが、一ツの説明となるのであろう。
因に菌根の形成は植物（マツ）菌根形成菌との一種の共生現象として両者間にお      ける栄養物の受け渡しを通じて植物の活着や増殖に有効であるとされるので、この      事実は痩せ地に対する樹木の植付けやマツタケの増殖方法として将来像を期待させ      るのである。【００１５】（６）  従来より人体の老化は足からと言われ、植物の老化は根からと言われているが、      本発明は、植物体を陰電荷に転換し、培地を陽電荷に転換すると、植物体の地上部      （葉）は酸化抑制作用が働き、地下部（根）は培地の微生物環境が好気的走電性環      境に改善されるから、根部組織が活発化に転換する。
従って、植物の壽命は倍加する。即ち、その植物が産生する全ての果実は「酸化      しにくい良質な産物」が生まれるのは理の当然である。
【実施例１】
【００１６】  以下、実施例による発明実施の態様を説明するが、例示は単なる説明用のもので発明思想の制限又は限定を意味するものではない。
【実施例２】
【００１７】  みかんの木の生体を陰電荷に転換したみかん１０個、みかんの従来の生体の陽電荷みかん１０個を各１２月１８日採取して腐食の比較実験をしてみた。
陰電荷みかん    ４月１８日（４ケ月後）    １０個腐食なし
陽電荷みかん    ２月１８日（２ケ月後）      ５個腐食
【実施例３】
【００１８】  スモモの木を使って比較して見た。（枝を切って水揚げ試験）
陰電荷の枝      切断後１０日後に枯れる。
陽電荷の枝      切断後４日後に枯れる。
【実施例４】
【００１９】  マツの木、樹齢３２年生、同地上２本を用いて生長の比較実験して見た。（根際バンドに通電、被覆）
実験マツ（胸高周３３ｃｍ）      実験後６ケ月＝１，３ｃｍ生長
非実験マツ（胸高周３２ｃｍ）    実験後６ケ月＝０，５ｃｍ生長
【実施例５】
【００２０】  桧、樹齢４５年生、同地上２本を用いて比較実験して見た。（根際部のバンドのみ）
実験桧（胸高周２９ｃｍ）      実施後６ケ月＝０，８ｃｍ生長
非実験桧（胸高周３１ｃｍ）    実験後６ケ月＝０，３ｃｍ生長
【実施例６】
【００２１】  スギの木、樹齢３３年生、同地上２本を用いて比較実験して見た（バンドと被覆のみ）
実験スギ（胸高周３５ｃｍ）      実施後６ケ月＝１，２ｃｍ生長）
非実験スギ（胸高周３６ｃｍ）    実施後６ケ月＝０，８ｃｍ生長）
【実施例７】
【００２２】（１）  インドゴムの木の根際部を黒色ビニールテープで被覆した実験木と被覆を施さな      い対象木につき実施後１年後の生長と細根部の状況を調べて見た。以下の結果は、
（２）  実験木は垂直に生長したが、対象木は太陽光線に向かって湾曲に曲がっていた。
（３）  実験木の側根は、旺盛な菌根の形成が見られ、テンブス状（花房状）を呈してい      た。これに対して対象木には、側根の形成は見られず菌根の形成は全くなかった。
【図面の簡単な説明】
【００２３】
【図１】本発明を樹木に取り付ける状態を示す正面図
【図２】水分保留シートと箔状シート（繊維）の切欠断面図
【図３】金属バンドを樹木に取り付けた状態を示す正面図
【図４】本発明を樹木に接続する状態を示す正面図
【符号の説明】
【００２４】  １  水分保留性シート
２  箔状シート（繊維）
３  金属バンド
４  ステップル
５  針金
６  樹木
７  電池（６ｖ）
８  抵抗
９  点滅ＬＥＤ
１０  支柱（培地）
１１  培地
【図１】
2005328811.tif 000003
【図２】
2005328811.tif 000004
【図３】
2005328811.tif 000005
【図４】
2005328811.tif 000006